(57)【要約】【課題】電線のジョイント接続およびワイヤーツーワイヤー接続が同時および独立してできるジョイントバスバーを提供する。【解決手段】ジョイントバスバーは、ジョイント部に複数の分岐端子部を間隔をあけて並列に突設した連鎖状とし、各分岐端子部は前記ジョイント部に連続させた一対のＪ字状に屈曲したバネ片を対向して備え、該バネ片の向き合わせて弾性接触させる円弧状電気接触部の間に、電線端末に接続するオス端子のタブを貫通させてジョイント接続できると共に、前記円弧状の電気接触部を貫通させて突出させた前記タブの先端を他の電線端末に接続するメス端子と嵌合してワイヤーツーワイヤー接続できる構成としている。【選択図】図３
2014165048.tif 000002
【特許請求の範囲】
【請求項１】
ジョイントコネクタ内に予め収容されるジョイントバスバーであって、ジョイント部に複数の分岐端子部を間隔をあけて並列に突設した連鎖状とし、
前記各分岐端子部は、前記ジョイント部に連続させた一対のＪ字状に屈曲したバネ片を対向して備え、該バネ片の向き合わせて弾性接触させる円弧状の電気接触部の間に、電線端末に接続するオス端子のタブを貫通させてジョイント接続可とすると共に、前記分岐端子部を貫通させて突出させた前記タブの先端を他の電線端末に接続するメス端子と嵌合してワイヤーツーワイヤー接続できる構成としているジョイントバスバー。
【請求項２】
前記ジョイント部に連続させて係止片を突設し、該係止片を前記ジョイントコネクタのハウジングに突設したランスと係止し、該ハウジング内に係止した状態で前記各分岐端子部はハウジング内の各端子収容室と対応した位置に配置されるように設定している請求項１に記載のジョイントバスバー。
【請求項３】
複数の前記分岐端子部を並設したジョイント部を中間連結部を介して上下段に設け、前記ジョイント部に設ける前記分岐端子部は該ジョイント部から一方側へ屈曲して設けている請求項１または請求項２に記載のジョイントバスバー。
【請求項４】
請求項１及至請求項３のいずれか１項に記載のジョイントバスバーを収容するジョイントコネクタであって、
複数の端子収容室を設けたコネクタ本体部の電線挿入側と反対側にコネクタ内嵌用のフ―ド部を備え、前記フード部に連続する前記コネクタ本体部の一端外面に沿って請求項１及至請求項３のいずれか１項に記載の前記ジョイントバスバーを配置し、
前記コネクタ本体部の端子収容室内に、電線端末に接続したオス端子を挿入係止し、該オス端子のタブを長尺として、前記ジョイントバスバーの各分岐端子部を貫通してジョイント接続できると共に、前記フード部に嵌合するコネクタに収容係止する電線端末のメス端子とワイヤーツーワイヤーで電気接続できる構成としているジョイントコネクタ。
【請求項５】
前記端子収容室の一部に前記ジョイントバスバーの分岐端子部を配置せず、前記オス端子を前記分岐端子部と接続せずに前記フード部に嵌合するコネクタ内のメス端子と嵌合接続し、ジョイント接続せずにワイヤーツーワイヤー接続のみの接続回路を並設できる構成
としている請求項４に記載のジョイントコネクタ。
【発明の詳細な説明】
【技術分野】
【０００１】
本発明はジョイントバスバーおよび該ジョイントバスバーを収容するジョイントコネクタに関し、特に、自動車に配索するワイヤハーネスの電線同士の多様な回路接続を可能とするものである。
【背景技術】
【０００２】
自動車には多数のワイヤハーネスが配索されており、該ワイヤハーネスの電線の回路接続として、一つのワイヤハーネスを構成する電線同士で回路接続を行なう場合と、別のワイヤハーネスの電線同士で回路接続を行なう場合があり、該ワイヤハーネスの電線の接続形態として、主として下記（１）〜（３）の形態がある。
（１）異なるワイヤハーネスの電線同士を接続する所謂ワイヤーツーワイヤー（以下、ＷｔｏＷと称する）接続で、一方側の電線端末の端子をメスコネクタに収容係止し、他方側の電線端末の端子をオスコネクタに収容係止し、これらのオス・メスコネクタを雌雄嵌合して両方の電線端末に接続した端子同士を電気接続する。
（２）一つのワイヤハーネスの複数の電線端末に接続した端子をジョイントバスバーを収容したジョイントコネクタに挿入係止し、ジョイントバスバーを介して複数本の電線回路をジョイント接続する。
（３）前記（１）のＷｔｏＷ接続と前記（２）のジョイント接続とを組み合わせて行い、同じワイヤハーネス内の複数の電線をジョイント接続すると共に、他のワイヤハーネスの電線とＷｔｏＷ接続する。
なお、大型ワイヤハーネスでは前記（１）（３）のＷｔｏＷ接続を同じワイヤハーネス内の電線同士で行なう場合もあり、また、前記（２）のジョイント接続も異なるワイヤハーネスの電線同士で行なう場合もある。
【０００３】
前記（３）の回路接続を行なうため、特開平７−２６３０９６号公報に図１２（Ａ）（Ｂ）（Ｃ）に示すジョイントコネクタ１００が提案されている。該ジョイントコネクタ１００はコネクタハウジング１０１内に左右対称のＨ形状のバスバー１０２（ジョイントバスバー）を収容し、ジョイントコネクタ１００に両側からオスコネクタ１０３、１０４を嵌合し、オスコネクタ１０３、１０４に収容係止した電線Ｗ１、Ｗ２の端末メス端子１０５、１０６を嵌合して、ジョイントおよびＷｔｏＷで接続している。
【先行技術文献】
【特許文献】
【０００４】
【特許文献１】特開平７−２６３０９６号公報
【発明の概要】
【発明が解決しようとする課題】
【０００５】
前記特許文献１のジョイントコネクタでは、Ｈ形状のジョイントバスバー１０２を収容しているため、オスコネクタ１０３側および１０４側の同一段のキャビティに挿入係止された各２本の電線同士をジョイントおよびＷｔｏＷ接続できるだけである。よって、前記オスコネクタの上下相違する段のキャビティに挿入係止された電線および同一段の３本以上の電線をジョイントしたい場合には用いることができない問題がある。
また、オスコネクタ１０３と１０４に接続した電線のうちで、他の電線とジョイントせずにＷｔｏＷだけで接続したい電線が含まれる場合に用いることができない問題がある。
【０００６】
前者の場合は別のジョイントコネクタを必要とし、後者の場合は別のＷｔｏＷ専用のコネクタが必要となる。このように、特許文献１のジョイントバスバーを収容したジョイントコネクタでは、多様な電線の回路接続に１つのジョイントコネクタで対応できない問題がある。
【０００７】
本発明は、前記問題を解消し、ジョイントコネクタに収容するジョイント部材を改良し、１つのジョイントコネクタを用いるだけで多様な電線の回路接続を可能とすることを課題とするものである。
【課題を解決するための手段】
【０００８】
前記課題を解決するため、本発明は、ジョイントコネクタ内に予め収容されるジョイントバスバーであって、ジョイント部に複数の分岐端子部を間隔をあけて並列に突設した連鎖状とし、
前記各分岐端子部は、前記ジョイント部に連続させた一対のＪ字状に屈曲したバネ片を対向して備え、該バネ片の向き合わせて弾性接触させる円弧状の電気接触部の間に、電線端末に接続するオス端子のタブを貫通させてジョイント接続可とすると共に、前記分岐端子部を貫通させて突出させた前記タブの先端を他の電線端末に接続するメス端子と嵌合してワイヤーツーワイヤー接続できる構成としているジョイントバスバーを提供している。
【０００９】
前記ジョイントバスバーは導電性金属板を打ち抜き加工後に曲げ加工して一体的に形成しており、ジョイント部から突設する各分岐端子部は電線端末に接続するオス端子のタブを貫通させて電気接続する構成としたため、オス端子のタブをジョイントバスバーの分岐端子部を貫通させて相手方電線端末のメス端子と嵌合接続可能とし、よって、ジョイント接続とＷｔｏＷ接続の両方の接続を可能としている。ジョイント接続するだけの回路を並設する場合は、ジョイントコネクタに嵌合する相手方コネクタ内にＷｔｏＷ接続する相手方端子を収容せず、空きキャビティとしておけばよい。また、相手方コネクタの電線とＷｔｏＷ接続のみを行いジョイント接続しない回路を並設する場合には、当該電線と対応するジョイントコネクタの端子収容室にはジョイントバスバーの分岐端子部を配置しない構成とすればよい。
【００１０】
本発明の前記ジョイントバスバーは、前記ジョイント部に連続させて係止片を突設し、該係止片を前記ジョイントコネクタのハウジングに突設したランスと係止し、該ハウジング内に係止した状態で前記各分岐端子部はハウジング内の各端子収容室と対応した位置に配置されるように設定している。
【００１１】
また、本発明のジョイントバスバーは、複数の前記分岐端子部を並設したジョイント部を中間連結部を介して上下段に設け、前記ジョイント部に設ける前記分岐端子部は該ジョイント部から一方側へ屈曲して設けていることが好ましい。
【００１２】
第２の発明として、前記第１の発明のジョイントバスバーを収容するジョイントコネクタであって、
複数の端子収容室を設けたコネクタ本体部の電線挿入側と反対側にコネクタ内嵌用のフード部を備え、前記フード部に連続する前記コネクタ本体部の一端外面に沿って請求項１乃至請求項３のいずれか１項に記載の前記ジョイントバスバーを配置し、
前記コネクタ本体部の端子収容室内に、電線端末に接続したオス端子を挿入係止し、該オス端子のタブを長尺として、前記ジョイントバスバーの各分岐端子部を貫通してジョイント接続できると共に、前記フード部に嵌合するコネクタに収容係止する電線端末のメス端子とワイヤーツーワイヤーで電気接続できる構成としているジョイントコネクタを提供している。
【００１３】
前記端子収容室の一部に前記ジョイントバスバーの分岐端子部を配置せず、前記オス端子を前記分岐端子部と接続せずに前記フード部に嵌合するコネクタ内のメス端子と嵌合接続し、ジョイント接続せずにワイヤーツーワイヤー接続のみの接続回路を並設できる構成としてもよい。
【発明の効果】
【００１４】
前述したように、本発明に係わるジョイントバスバーは、複数の電線をジョイント接続できると共に、該ジョイント接続した電線を他のジョイント接続していない電線とＷｔｏＷ接続できる構成としている。よって、該ジョイントバスバーをジョイントコネクタに収容することにより、電線のジョイント接続とＷｔｏＷ接続の両方を行うことができ、部品点数の削減、組み付け手間の削減等を図ることができる。また、該ジョイントバスバーを収容したジョイントコネクタで多様な回路接続を実現できる。
【図面の簡単な説明】
【００１５】
【図１】本発明の実施形態を示し、本発明のジョイントバスバーを収容したジョイントコネクタを装着するワイヤハーネスを示す正面図である。
【図２】前記ジョイントコネクタを示し、（Ａ）は斜視図、（Ｂ）は断面図、（Ｃ）は左側面図である。
【図３】前記ジョイントバスバーを示し、（Ａ）は平面図、（Ｂ）は斜視図、（Ｃ）は概略正面図である。
【図４】前記ジョイントバスバーの製作工程を示し、（Ａ）はジョイントバスバーを形成する導電性金属板の展開図、（Ｂ）は分岐端子部の形成方法を示す説明図である。
【図５】前記ジョイントコネクタにジョイントバスバーを収容する状態を示す図面である。
【図６】前記ジョイントコネクタの端子収容室に挿入する電線端末のオス端子を示す図面である。
【図７】組付工程を示す斜視図であり、（Ａ）はジョイントコネクタにジョイントバスバーを挿入する状態を示す斜視図、（Ｂ）はジョイントバスバーを挿入したジョイントコネクタを示す斜視図、（Ｃ）はジョイントコネクタに電線およびコネクタを接続する状態を示す斜視図である。
【図８】（Ａ）はジョイントコネクタ内でジョイントバスバーを介して電気接続した状態を示す断面図、（Ｂ）はジョイントコネクタの各端子収容室に挿入する電線がジョイント接続あるいは／およびＷｔｏＷ接続していることを示す説明図である。
【図９】本発明の第１変形例を示し、（Ａ）はジョイントコネクタに挿入するジョイントバスバーの斜視図、（Ｂ）はジョイントコネクタの各端子収容室に挿入する電線の接続形態の説明図である。
【図１０】本発明の第２変形例を示し、（Ａ）はジョイントコネクタに挿入するジョイントバスバーの斜視図、（Ｂ）はジョイントコネクタの各端子収容室に挿入する電線の接続形態の説明図である。
【図１１】本発明の第３変形例を示し、（Ａ）はジョイントコネクタに挿入するジョイントバスバーの斜視図、（Ｂ）はジョイントコネクタの各端子収容室に挿入する電線の接続形態の説明図である。
【図１２】（Ａ）（Ｂ）（Ｃ）は従来例を示す図面である。
【発明を実施するための形態】
【００１６】
以下、本発明の実施形態を図面を参照して説明する。
図１に示すワイヤハーネス１は自動車に配索する大型のワイヤハーネスであり、該ワイヤハーネス１の幹線１Ａから分岐した枝線１Ｃの端末に本発明のジョイントコネクタ２を接続している。該ジョイントコネクタ２に幹線１Ａの他の箇所から分岐した他の枝線１Ｄに接続したコネクタ３を嵌合している。なお、ジョイントコネクタ２と嵌合接続する前記コネクタ３を接続する枝線１Ｄは他のワイヤハーネスの電線でもよい。
【００１７】
前記枝線１Ｃは複数の電線ｗ１〜ｗ１２、枝線１Ｄは複数の電線ｗ２１〜ｗ２８からなり、これらの電線は下記（１）〜（３）の３パターンで回路接続可能としている。
（１）枝線１Ｃの電線同士をジョイント接続し、かつ、該ジョイント接続した電線を枝線１Ｄの電線とＷｔｏＷ接続する。
（２）枝線１Ｃの１本の電線と枝線１Ｄの１本の電線同士をＷｔｏＷ接続する。
（３）枝線１Ｃの電線同士をジョイント接続する一方、枝線１Ｄの電線と接続しない。よって、枝線１Ｄの電線本数は枝線１Ｃの電線本数より４本少ない。
なお、本実施形態では、後述するように、前記（１）と（３）を行い、前記（２）のＷｔｏＷ接続のみの回路接続は行っていない。  
【００１８】
前記ジョイントコネクタ２は図２（Ａ）（Ｂ）（Ｃ）に示すように、コネクタハウジング５内に図３に示すジョイントバスバー６を予め収容係止している。コネクタハウジング５の基本構造はオスコネクタハウジングであり、図中左側に示すコネクタ本体部５ａに上下２段で複数列（本実施形態では６列）の端子収容室（キャビティ）８を備え、合計１２個のキャビティを備えている。図中、右側に相手側コネクタ内嵌用のフード部５ｂをコネクタ本体部５ａの外周壁から突設している。
【００１９】
図３に示すジョントバスバー６は図４に示す導電性金属板６Ｐを打ち抜き加工した後に折り曲げ加工して連鎖状に形成している。基本形状はコネクタハウジング５の全端子収容室８内に挿入する電線ｗの端末の端子と接続する分岐端子部１０ａ、１０ｂを備え、回路接続形態に応じて不要な分岐端子部１０ａ、１０ｂを切除して、共用で用いられるようにしている。
【００２０】
ジョイントバスバー６は上段側に複数（６個）の分岐端子部１０ａを上のジョイント部１１ａで連結している。同様に下段側に複数（６個）の分岐端子部１０ｂを下のジョイント部１１ｂで連結している。上段側の分岐端子部１０ａと下段側の分岐端子部１０ｂとは長さ方向の中間を中間連結部１２で連結している。
【００２１】
詳細には、ジョイントバスバー６の上下段のジョイント部１１ａ、１１ｂはコネクタ本体部５ａのフード部側外端面に配置するものとしている。図４（Ａ）に示すように、分岐端子部１０ａ、１０ｂを形成するように導電性金属板６Ｐに切り込みを入れて、端子収容室８と対応した切り起し片１３ａ、１３ｂを設けている。これら切り起し片１３ａ、１３ｂを図４（Ｂ）中点線で示す折り曲げラインで屈曲してＪ形状とし、上下対向する円弧状のバネ片１４ａ、１４ｂを形成し、この対向した円弧状のバネ片１４ａ、１４ｂからなる雌端子状の各分岐端子部１０ａ、１０ｂを形成している。後述するように、これら分岐端子部１０ａ、１０ｂはバネ片１４ａと１４ｂの間に後述する板状のオス端子１８を差し込んで電気接続できるものとしている。
【００２２】
前記のように、各６個の分岐端子部１０ａ、１０ｂを設けた上下段のジョイント部１１ａと１１ｂは、長さ方向の中央部に設けた中間連結部１２で連結し、所要の回路パターンに応じて必要箇所のみを残して切除している。なお、切除する必要がなければ切除しなくてもよい。
【００２３】
また、ジョイント部１１ａ、１１ｂの幅方向両側に係止片１５（１５ａ〜１５ｄ）を設けている。各係止片１５は分岐端子部１０ａ、１０ｂと同一方向の突出部と反対方向の突出部を備え、該反対方向の突出部の先端部に鍵穴形状の係止穴１５ｋを設け、端子収容室８内に突設するランス９と係止できるようにしている。
【００２４】
上下ジョイント部１１ａ、１１ｂに各６個の分岐端子部１０ａ、１０ｂを設けた１つのジョイントバスバー６は、図５に示すようにジョイントコネクタ２内に収容し、４隅の係止片１５をコネクタ本体部５ａの４隅の端子収容室８に挿入し、係止穴１５ｋをランス９に挿入係止して予め収容固定している。
【００２５】
ジョイントコネクタ２のコネクタ本体部５の端子収容室８の各先端開口８ｈは電線端末の端子挿入口となり、枝線１Ｃの電線ｗ１〜ｗ１２の端末に接続した図６に示すオス端子１８を挿入している。
【００２６】
前記オス端子１８は絶縁被覆バレル１８ａと芯線バレル１８ｂとからなる電線圧着部と、芯線バレル１８ｂから突出する長方形状の電気接触部１８ｃ（以下、タブ１８ｃと称す）を導電性金属板で形成している。タブ１８ｃは汎用されているオス端子のタブより長尺としている。このように長尺とすることにより、コネクタ本体部５ａの端子収容室８を貫通してフード部５ｂへ突出し、フード部５ｂに内嵌する枝線１Ｄのメスコネクタ３の各端子収容室内に突出する長さとしている。
【００２７】
つぎに、前記ジョイントコネクタ２を介した枝線１Ｃ、１Ｄの電線の回路接続方法について説明する。
ジョイントバスバー６を予め収容したジョイントコネクタ２には、そのコネクタ本体部５ａの全端子収容室８に、枝線１Ｃの全電線ｗ１〜ｗ１２の端末に圧着接続したオス端子１８を挿入する。図８（Ａ）に示すように、オス端子１８は各端子収容室８からフード部５ｂへ突出する部位で、ジョイントバスバー６の分岐端子部１０ａ、１０ｂの上下のバネ片１４ａ、１４ｂの間を貫通し、その時にジョイントバスバー６とオス端子１８は電気接続し、枝線１Ｃの全電線ｗ１〜ｗ１２をジョイントバスバー６でジョイント接続する。
【００２８】
ジョイントコネクタ２のフード部５ｂに、枝線１Ｄの端末に接続したメスコネクタ３を内嵌する。フード部５ｂに突出しているオス端子１８はメスコネクタ３の端子収容室に挿入している電線ｗ２１〜ｗ２８の端末のメス端子１９に嵌合し、ＷｔｏＷ接続する。これにより、ジョイントバスバー６でジョイント接続される枝線１Ｃの電線ｗ１〜ｗ８は枝線１Ｄの電線ｗ２１〜ｗ２８とＷｔｏＷ接続する。
一方、メスコネクタ３内の４つの端子収容室に枝線１Ｄの電線端末のメス端子を挿入していないため、枝線１Ｃの電線ｗ９〜ｗ１２は電線ｗ１〜ｗ８とジョイント接続されるだけで、枝線１Ｄの電線とＷｔｏＷ接続されない。
【００２９】
前記のように、ジョイントバスバー６をジョイントコネクタ２の全端子収容室８に対応した分岐端子部１０ａ、１０ｂを設けた形状としているため、回路接続のパターンはジョイント接続とＷｔｏＷ接続との組み合わせと、ジョイント接続のみの２パターンになる。
しかしながら、ジョイントバスバー６の形状およびジョイントコネクタ２内への配置位置を変えることで、ＷｔｏＷ接続のみを追加でき、多様な回路接続パターンを実現できる。
【００３０】
図９（Ａ）（Ｂ）に第１変形例を示す。
第１変形例では、ジョイントバスバー６の分岐端子部１０ａ、１０ｂの個数を合計６個とし、これら分岐端子部をジョイントコネクタ２の一側の上下各３個の端子収容室と対応する箇所に配置し、他側にジョイントバスバー６を配置していない。
これにより、枝線１Ｃの電線をジョイント接続および枝線１Ｄの電線とＷｔｏＷ接続する回路接続形態、枝線１Ｃと１Ｄの電線をＷｔｏＷ接続するのみの回路接続形態、枝線１Ｃの電線をジョイント接続するだけの回路接続形態の３パターンを１つのジョイントコネクタ２を用いて実現できる。
【００３１】
図１０（Ａ）（Ｂ）に第２変形例を示す。
第２変形例では、ジョイントバスバーを２分割し、各列３個の上下段で合計６個の分岐端子部１０ａ、１０ｂを設けたジョイントバスバー６−１、６−１を２個設けている。ジョイントコネクタ２にジョイントバスバー６−１を収容し、ジョイント接続およびＷｔｏＷ接続する２つの第１、第２グループを設けている。
なお、ジョイントバスバー６−１を１個だけジョイントコネクタ２に収容し、６個の端子収容室８にはジョイントバスバー６−１を配置せず、枝線１Ｃと１Ｄの電線同士をＷｔｏＷ接続してもよい。
【００３２】
図１１（Ａ）（Ｂ）に第３変形例を示す。
第３変形例では、ジョイントバスバーを上下段でさらに分離し、同一列で並設した３個の分岐端子部をジョイント部で連続させたジョイントバスバー６−３を４個設けている。この４個のジョイントバスバー６−３をジョイントコネクタ２に収容係止し、ジョイント接続とＷｔｏＷ接続の両方をおこなうグループを４つのグループに分けている。
【００３３】
さらに、コネクタ３の全端子収容室内にメス端子１９を収容係止し、枝線１Ｃと１Ｄの全電線をジョイント接続およびＷｔｏＷ接続してもよい。
さらに、ジョイントコネクタ２内にジョイントバスバー６を配置せず、枝線１Ｃと１Ｄの全電線を互いにＷｔｏＷ接続し、ジョイント接続しない回路形態とする場合にも用いることができる。
さらにまた、ジョイントコネクタ２内にジョイントバスバー６を収容するが、枝線１Ｄと接続したコネクタ３を嵌合せず、枝線１Ｃの電線のジョイント接続用にのみ用いることもできる。
【００３４】
このように、ジョイントコネクタ２とジョイントバスバー６を用い、ジョイントコネクタ２に接続する枝線１Ｃの電線に電気接触部となるタブを長尺としたオス端子１８を接続すると、枝線１Ｃと１Ｄの電線の多様な回路接続パターンを実現することができる。
【００３５】
本発明は前記実施形態に限定されず、ジョイントバスバーに設ける係止片は端子収容室に突出させて、該端子収容室内に設けたランスに係止する構成に限定されず、フード部５ｂ側に屈曲し、該フード部５ｂの内面に設けたランスと係止する構成としてもよい。
【符号の説明】
【００３６】
１  ワイヤハーネス
１Ａ  幹線
１Ｃ、１Ｄ  枝線
２  ジョイントコネクタ
３  コネクタ（メスコネクタ）  
５  コネクタハウジング
５ａ  コネクタ本体部
５ｂ  フード部
６  ジョイントバスバー
８  端子収容室
９  ランス
１０ａ、１０ｂ  分岐端子部
１１ａ、１１ｂ  ジョイント部
１２  中間連結部
１５  係止片
１８  オス端子
【図１】
2014165048.tif 000003
【図２】
2014165048.tif 000004
【図３】
2014165048.tif 000005
【図４】
2014165048.tif 000006
【図５】
2014165048.tif 000007
【図６】
2014165048.tif 000008
【図７】
2014165048.tif 000009
【図８】
2014165048.tif 000010
【図９】
2014165048.tif 000011
【図１０】
2014165048.tif 000012
【図１１】
2014165048.tif 000013
【図１２】
2014165048.tif 000014